(57)【要約】【課題】携帯電話機を開いた状態と折り畳んだ状態でポインティングデバイスを操作する際に、ユーザが該携帯電話機を持ち替えなくても表示画像および画像の移動方向を常に同じ方向に保つ表示部画像制御手段を提供する。【解決手段】携帯電話機の表示部を有する筐体が開かれて通常の状態で使用されているか、あるいは携帯電話機の表示部を有する筐体が閉じられてかつ１８０度回転された状態で使用されているかを検出する状態検出部が、携帯電話機の表示部を有する筐体が閉じられてかつ１８０度回転された状態で使用されていることを検出しているとき、表示部を有する筐体が開かれて通常の状態で使用されているときの表示画像を、表示画面上で１８０度回転した状態で表示するように、画像表示を切換制御する。【選択図】        図５
2004320560.tif 000002
【特許請求の範囲】
【請求項１】
前面に表示画面が備えられた第１の筐体と前面にキーボードが備えられた第２の筐体とがヒンジ部により折り畳み可能に構成され、かつ前記第１の筐体が前記ヒンジ部のヒンジ軸と直交する軸の周りに１８０度回転可能に構成された携帯電話機において、
前記表示画面上の位置座標を指定する手段として前記第２の筐体の背面に設けられたポインティングデバイスと、前記第１の筐体が前記１８０度回転された状態で折り畳まれているか否かを検出する状態検出手段と、該状態検出手段によって前記第１の筐体が１８０度回転された状態で折り畳まれていることが検出されているとき、前記表示画面の表示内容および前記ポインティングデバイスで指定された位置座標を前記表示画面上において１８０度回転する画像表示切換制御手段とを備えたことを特徴とする携帯電話機の入力装置。
【請求項２】
前面及び背面にそれぞれ表示画面が備えられた第１の筐体と前面にキーボードが備えられた第２の筐体とがヒンジ部により折り畳み可能に構成された携帯電話機において、
前記表示画面上の位置座標を指定する手段として前記第２の筐体の背面に設けられたポインティングデバイスと、前記携帯電話機が折り畳まれた状態にあるか否かを検出する状態検出手段と、該状態検出手段によって前記携帯電話機が折り畳まれた状態にあることが検出されているとき、前記背面に備えられた表示画面の表示内容および前記ポインティングデバイスで指定された位置座標を前記表示画面上において１８０度回転する画像表示切換制御手段とを備えたことを特徴とする携帯電話機の入力装置。
【請求項３】
前記ポインティングデバイスにより、前記表示画面の表示内容をスクロールする機能を有していることを特徴とする請求項１または２に記載の携帯電話機の入力装置。
【請求項４】
前記ポインティングデバイスにより、前記表示画面上に表示されたポインタを移動させる機能を有していることを特徴とする請求項１〜３のいずれかに記載の携帯電話機の入力装置。
【請求項５】
前記ポインティングデバイスにより、前記表示画面上に表示されたカーソルを移動させる機能を有していることを特徴とする請求項１〜４のいずれかに記載の携帯電話機の入力装置。
【請求項６】
前記ポインティングデバイスは、前記第１の筐体の背面を平面上に置いた状態で、該平面に沿って移動させたときに、該平面に接して回転することにより移動量を検出するトラックボールを備えていることを特徴とする請求項１〜５のいずれかに記載の携帯電話機の入力装置。
【請求項７】
前記ポインティングデバイスは、前記第１の筐体の背面を平面上に置いた状態で、該平面に沿って移動させたときに、その移動量を光学的に検出する光学式移動量検出手段であることを特徴とする請求項１〜５のいずれかに記載の携帯電話機の入力装置。
【発明の詳細な説明】
【０００１】
【発明の属する技術分野】
本発明は、携帯電話機における表示画面操作を行うための入力装置に関する。
【０００２】
【従来の技術】
携帯電話機は、その制御にＣＰＵを用いているため、本来の通話機能だけでなく、その表示画面を利用した電子メールやＷｅｂ等の機能を併せ持つことができ、表示画面にも、文字だけでなくグラフィックも表示可能となっているので、表示画面をスクロールしたり、表示画面上のカーソルあるいはポインタを移動したりするポインティングデバイスを備えたものが種々提案されている。
【０００３】
例えば特許文献１では、前面に配置されて情報を表示する表示画面を有する携帯電話機に対して、該携帯電話機を把持するユーザの片手の親指で操作できる位置にプッシュボタンを配置し、該携帯電話機の背面には、該携帯電話機を把持するユーザの片手の人差し指で操作できる位置にトラックボール等のポインティングデバイスを配置することにより、表示画面のスクロール、画面に表示されたアイコンのドラッグアンドドロップ、あるいは画面に表示されたカーソルの移動及び処理の実行制御を行うことが提案されている。
【０００４】
また、特許文献２では、各種情報を処理する処理手段と、処理情報等を表示する表示手段と、情報の入力あるいは機器を操作するための入力手段を備えた携帯型情報機器において、該携帯型情報機器の背面側にトラックボールを設け、該携帯型情報機器を机の上で恰もマウスのように平行移動させたり、手のひらに載せて片手で操作することによって、該機器の表示画面に表示されている画面のスクロールや座標のポインティング操作を行うことを可能にした携帯情報機器が記載されている。
【０００５】
【特許文献１】
特開２００１−１６６３５号公報
【特許文献２】
特開２０００−２９５６８号公報
【０００６】
【発明が解決しようとする課題】
携帯電話機の機能の増加につれて表示画面に表示する内容も複雑化しているためにより大きな表示画面が必要とされ、そのため最近の携帯電話機は、前面に表示画面が備えられた第１の筐体と前面にキーボードが備えられた第２の筐体とをヒンジ部により折り畳み可能に構成した携帯電話機が主流となりつつある。
【０００７】
さらに、最近の携帯電話機では、表示画面が備えられた第１の筐体の背面に第２の表示画面を備えることにより、折り畳まれた状態においても表示画面を見ることができるようにしたもの、あるいは前面に表示画面が備えられた第１の筐体を１８０度回転可能にして前記第１及び第２の筐体が折り畳まれた状態でも表示画面を見ることを可能に構成したものがある。
【０００８】
このような構成の携帯電話機に対して、上記特許文献に記載されたトラックボール等のポインティングデバイスを設けた場合、携帯電話機を開いた状態でポインティングデバイスを操作して画面をスクロールあるいはカーソルを移動させたときの表示画面あるいはカーソルの移動方向と、携帯電話機を折り畳んだ状態でポインティングデバイスを操作して画面をスクロールあるいはカーソルを移動させたときの表示画面あるいはカーソルの移動方向が、ユーザから見ると逆方向となるため、表示画面および移動方向が同じになるように携帯電話機を持ち替えて操作しなければならない煩わしさがあり、特に確定キーボタンが第２の筐体の側面にある場合には、その操作が不便になるという問題がある。
【０００９】
本発明の目的は、上記構成の携帯電話機に対して筐体背面にポインティングデバイスを設けたときに、該携帯電話機を開いた状態でポインティングデバイスを操作する場合と、該携帯電話機を折り畳んだ状態でポインティングデバイスを操作する場合とで、該携帯電話機を持ち替えなくても表示画像および画像の移動方向がユーザからみて常に同じ方向に保つことができる表示部画像制御手段を提供することにある。
【００１０】
【課題を解決するための手段】
本発明の携帯電話機の入力装置は、前面に表示画面が備えられた第１の筐体と前面にキーボードが備えられた第２の筐体とがヒンジ部により折り畳み可能に構成され、かつ前記第１の筐体が前記ヒンジ部のヒンジ軸と直交する軸の周りに１８０度回転可能に構成された携帯電話機において、前記表示画面上の位置座標を指定する手段として前記第２の筐体の背面に設けられたポインティングデバイスと、前記第１の筐体が前記１８０度回転された状態で折り畳まれているか否かを検出する状態検出手段と、該状態検出手段によって前記第１の筐体が１８０度回転された状態で折り畳まれていることが検出されているとき、前記表示画面の表示内容および前記ポインティングデバイスで指定された位置座標を前記表示画面上において１８０度回転する画像表示切換制御手段とを備えたことを特徴とする。
【００１１】
また、本発明の携帯電話機の入力装置は、前面及び背面にそれぞれ表示画面が備えられた第１の筐体と前面にキーボードが備えられた第２の筐体とがヒンジ部により折り畳み可能に構成された携帯電話機において、前記表示画面上の位置座標を指定する手段として前記第２の筐体の背面に設けられたポインティングデバイスと、前記携帯電話機が折り畳まれた状態にあるか否かを検出する状態検出手段と、該状態検出手段によって前記携帯電話機が折り畳まれた状態にあることが検出されているとき、前記背面に備えられた表示画面の表示内容および前記ポインティングデバイスで指定された位置座標を前記表示画面上において１８０度回転する画像表示切換制御手段とを備えたことを特徴とする。
【００１２】
本発明によれば、前面に表示画面が備えられた第１の筐体と、前面にキーボードが備えられ背面にポインティングデバイスが設けられた第２の筐体とが、ヒンジ部により折り畳み可能に構成され、かつ前記第１の筐体を１８０度回転させて前記第１及び第２の筐体が前記ヒンジ部により折り畳まれた状態で前記表示画面を見ることも可能な構成を有する携帯電話機あるいは、前面及び背面にそれぞれ表示画面が備えられた第１の筐体と、前面にキーボードが備えられ背面にポインティングデバイスが設けられた第２の筐体とがヒンジ部により折り畳み可能に構成された携帯電話機において、携帯電話機を開いた状態及び折り畳んだ状態で表示画面上の表示内容を操作するときに、携帯電話機の表示画面に表示される画像が、使用者にとって常に同じ方向に保つことのできるので、使用状態に応じて携帯電話機を一々持ち替える必要が無く、操作の煩わしさを解消することができる。
【００１３】
【発明の実施の形態】
図１は、本発明の第１の実施形態が適用される入力装置を備えた携帯電話機の表面（前面）側、および背面側の概略を示す斜視図である。
【００１４】
図１において、携帯電話機１００はヒンジ部１０３により折り畳み可能に構成された筐体１０１と筐体１０２からなる。筐体１０１にはその正面側に表示部１が配置され、筐体１０２の表面には携帯電話機の各種機能を実行するための操作を行うキーボタン３が配置されている。
【００１５】
筐体１０２の背面には、筐体１０２の背面を机上等に接して並行に移動させたときにその移動方向を検出するためのポインティングデバイスとしてのトラックボール２が設けられており、筐体をマウスのように机上等で移動させることによってトラックボール２を回転させ、トラックボール２の位置情報で表示部１に表示されている画像のスクロール等を行うことができる。
【００１６】
また、筐体１０１は、表示部１をヒンジ部１０３の軸と直交する軸の周りに１８０度回転可能な構成となっており、通常の使用形態では、携帯電話機１００を開いた状態において表示部１はキーボード３と同じ面側に位置しているが、表示部１が配置された区画をヒンジ部１０３の軸と直交する軸の周りに１８０度回転した状態にしてこの携帯電話機を折り畳むことができ、折り畳まれた状態でこの表示部１に表示された画像を見ながら、筐体１０２の背面に設けられたトラックボール２により画像のスクロール等を行うことも可能となっている。
【００１７】
図２は、本実施形態が適用される携帯電話機１００の表示部１０１を１８０度回転させて折り畳む操作を示しており、筐体１０１の表示部１を有する区画１０１−１は、ヒンジ部１０３のヒンジ軸５０と直交する軸５１の周りに１８０度回動する（図２（ｂ）〜図２（ｄ））ことにより、携帯電話機１００を閉じた（折り畳んだ）状態で表示部１が筐体背面に保持され、折り畳んだ状態で表示部１の表示画面を見ることができる状態となるとともに、その裏側（筐体１０２の背面）にトラックボール２が配置された状態となる（図２（ｅ））。
【００１８】
図３は、主に本実施形態と関連する部分を抽出して示した携帯電話機１００の概略構成を示すブロック図、図４〜図５は、本実施形態における画像移動制御動作を示すフロー図であり、図６〜図９は、本実施形態における表示画面の移動動作を説明する図である。なお、図３のブロック図において、制御部３３はＣＰＵ及びメモリを有し、本実施形態の携帯電話機１００が有する全ての機能の制御動作を実行するブロックとして示している。以下、図３〜図９を参照して本実施形態の動作について説明する。
【００１９】
携帯電話機１００の筐体１０２の背面に回転自在に収納されているトラックボール２を机上に接するようにして携帯電話機１００を机上で移動させると、トラックボール２が回転運動する。図３〜４に示すように、トラックボール２の動きは携帯電話機内に組み込まれた回転量・位置検出部３８により検出され、検出結果は表示部１の表示状態を制御する制御部３３内の表示制御部へ出力される。一方、図５に示すように、携帯電話機内に組み込まれた、表示部１を有する筐体１０１が通常の状態にあるか、あるいは１８０度回転された状態にあるかを検出する状態検出部３９からの筐体回転情報も上記表示制御部３３へ出力される。
【００２０】
表示制御部３３は、回転量・位置検出部３８が検出したトラックボール２の動きを表示部画像のスクロールに反映させるとともに、状態検出部３９からの筐体回転情報が１８０度回転された状態にあることを検出しているときには、表示画像が表示画面上で１８０度回転された状態で表示されるように、表示部１の画像表示を切換制御する。
【００２１】
図６に示すように、携帯電話機１００を開いた状態で、筐体１０２の背面のトラックボール２を机上に接するようにして矢印方向に移動させた場合、第１の筐体１０１の表示部１に表示されている画像を筐体移動方向と同方向にスクロールさせ、カーソル位置で自動的に選択項目を選択することができる。
【００２２】
例えば、「九州」を選択しているカーソル４が、筐体移動と共に画像が同方向にスクロールして画面上から消えた状態でカーソル選択を行うと画面の中央部に表示されている「中国」にカーソル４’が移動されて「中国」選択する。カーソル項目確定は例えばキーボタン３の操作あるいは筐体１０２の側面に設けられたキーボタン７によって行うことができる。なお、画面スクロールとカーソル移動とを切り換えて、トラックボール２により各々独立に操作するようにしてもよい。
【００２３】
次に、筐体１０２を固定し筐体１０１を軸５１の周りに１８０°回転させ、ヒンジ部１０３により携帯電話機を閉じた場合（図２（ｅ）の状態）には、状態検出手段は表示部１が１８０度回転された状態で折り畳まれていることを検出しているので、閉じた場合の表示部１’の画像及び、トラックボールによる画像スクロール方向については、表示制御部は表示画像を表示画面上で１８０度回転して表示されるように表示部１の画像切り替え制御を行う。
【００２４】
従って、例えば図７に示すように、矢印方向への筐体移動に対し、表示部１に表示されている画像５が画像５’の位置に移り、本来表示部外にあった画像６が表示部に現れる方向にスクロールされる。携帯電話機を閉じた場合のカーソル項目の確定は筐体側面に配置するキーボタン７の操作によって行う。
【００２５】
また、図８に示すような携帯電話機を開いた状態での文字情報選択の画面では、筐体の移動方向と同方向にカーソルの移動が可能である。文字情報選択項目が多く表示部外にあるときには、表示されているカーソルを選択項目のスクロールしたい方向の画面端まで移動させ、更にその方向に筐体を移動させることによって、画面がスクロールされ表示部外にある文字情報が表示部に表示されカーソル移動、選択可能となる。
【００２６】
文字情報選択の画面を図９に示すように、表示部１を１８０度回転し背面に位置させて携帯電話機を閉じた状態として使用する場合には、表示制御部３３により、表示部１の画像及び、トラックボールによる選択項目の移動方向が携帯電話機開状態のときとは１８０度反転され逆になるように制御される。画面がスクロールされ表示部外にある文字情報を表示部に表示する場合も同様に画像およびその移動方向が携帯電話機開状態のときと逆になるように制御される。
【００２７】
従って、携帯電話機を机上で移動させることによりトラックボール２による画像の移動操作を行う場合、使用者は携帯電話機が開状態であるか閉状態であるかにより一々携帯電話機を持ち替えなくても、画像を同じ方向に保つことができる。
【００２８】
図１０〜図１３は、本発明の第２の実施形態を示す動作説明図である。本実施形態では、表示部１の画像を動かすだけでなく、ポインタ８を表示させることによって、ポインタ移動と、画像スクロール及びカーソルの移動を可能にしている。
【００２９】
本実施形態では、画面のスクロールに関しては、スクロールさせたい方向の端までポインタ９を移動させ、更にその方向に筐体を移動させることによって、画面がスクロールされ表示部外にある選択項目が表示部に表示され選択可能となる。図１１に示すように表示部１を背面にし、携帯電話機が閉じられた状態においても同様に可能である。
【００３０】
図１２〜図１３に示すような、文字情報選択の画面でも、筐体の移動方向と同方向にポインタ１０の移動が可能である。文字情報選択項目が多く表示部外にあるときには、表示されているポインタを選択項目のスクロールしたい方向の端まで移動させ、更にその方向に筐体を移動させることによって、画面がスクロールされ表示部外にある文字情報項目が表示部に表示されカーソル移動、選択可能である。一方、表示部を筐体背面にして携帯電話機を閉じた状態とした場合は、表示部のポインタ１１の移動方向が携帯電話開状態のときとは逆になる。画面のスクロールについても同様である。
【００３１】
なお、上記の各実施形態では、筐体１０２の背面に設けたポインティングデバイスとして、トラックボール２を用いているが、筐体１０２の背面を平面上においた状態で、該平面に沿って筐体１０２を移動させたときに、その移動量を光学的に検出する光学式移動量検出手段を用いて構成してもよい。
【００３２】
図１４は、本発明の第３の実施形態を示す概略図である。本実施形態では、携帯電話機１００の筐体１０１に、その正面表示部１２と背面表示部１３が設けられた折畳型携帯電話機構成となっている。背面表示部１３の開閉時における各表示形態に対して同様の表示方向切り換え手段を組み込むことによって、筐体開時の正面表示部１２と筐体閉時の背面表示部１３の画像及び、トラックボールによる画像移動を、使用者にとって常に同じ方向に保持することができる。
【００３３】
上記の各実施形態では、筐体開時の正面表示部画像及び、ポインタの移動を筐体１０２の背面に設けたポインティングデバイスによって行うことについて説明したが、通常、携帯電話機にはキーボタン部の４方向キー等での操作により画像及びポインタの移動を行う手段を備えているので、コマンド入力により、筐体開時の正面表示部画像及び、ポインタの移動をトラックボールによる操作から、キーボタン部の４方向キー等での操作に切り替える手段を設けてもよい。
【００３４】
また、コマンド入力により、筐体開時の正面表示部画像移動方法から上記ポインタによる移動方法に切り替えるように構成することもできる。その際、筐体閉時の背面表示部画像移動方法からポインタによる移動方法への切り替えは、例えば筐体側面に配置されるキーボタン等の操作で切り替えることが可能である。
【００３５】
【発明の効果】
本発明は、前面に表示画面が備えられた第１の筐体と、前面にキーボードが備えられ背面にポインティングデバイスが設けられた第２の筐体とが、ヒンジ部により折り畳み可能に構成され、かつ前記第１の筐体を１８０度回転させて前記第１及び第２の筐体が前記ヒンジ部により折り畳まれた状態で前記表示画面を見ることも可能な構成を有する携帯電話機あるいは、前面及び背面にそれぞれ表示画面が備えられた第１の筐体と、前面にキーボードが備えられ背面にポインティングデバイスが設けられた第２の筐体とがヒンジ部により折り畳み可能に構成された携帯電話機において、携帯電話機を開いた状態及び折り畳んだ状態で画像の移動操作をするときに、携帯電話機の表示画面に表示される画像が、使用者にとって常に同じ方向に保つことのできるので、使用状態に応じて携帯電話機を逆方向に持ち替える必要が無く、操作の煩わしさを解消することができる。
【００３６】
また、折り畳み式携帯電話機の、キーボードが備えられた側の筐体の背面にトラックボール等のポインティングデバイスを組み込んだので、マウス感覚で画像の移動操作をすることが可能である。
【図面の簡単な説明】
【図１】本発明の第１の実施形態が適用される入力装置を備えた携帯電話機の表面（前面）側、および背面側の概略を示す斜視図である。
【図２】本実施形態が適用される携帯電話機の折り畳み機能及び回転機能の概略を示す図である。
【図３】主に本実施形態と関連する部分のブロックを抽出して示した携帯電話機の概略構成を示すブロック図である。
【図４】本実施形態における画像移動制御動作を示すフロー図である。
【図５】本実施形態における画像移動制御動作を示すフロー図である。
【図６】本実施形態における表示画面の移動動作を説明する図である。
【図７】本実施形態における表示画面の移動動作を説明する図である。
【図８】本実施形態における表示画面の移動動作を説明する図である。
【図９】本実施形態における表示画面の移動動作を説明する図である。
【図１０】本発明の第２の実施形態を示す動作説明図である。
【図１１】本発明の第２の実施形態を示す動作説明図である。
【図１２】本発明の第２の実施形態を示す動作説明図である。
【図１３】本発明の第２の実施形態を示す動作説明図である。
【図１４】本発明の第３の実施形態を示す動作説明図である。
【符号の説明】
１，１２，１３  表示部
２  トラックボール
３，７  キーボード
４，４’  カーソル
５，５’，６  画像
８，９，１１  ポインタ
３１  アンテナ
３２  無線回路部
３３  制御部
３４  音声回路部
３５  スピーカ
３６  マイク
３７  キースイッチ部
３８  回転量・位置検出部
３９  状態検出部
５０，５１  軸
１００  携帯電話機
１０１、１０２  筐体
１０３  ヒンジ部
【図１】
2004320560.tif 000003
【図２】
2004320560.tif 000004
【図３】
2004320560.tif 000005
【図４】
2004320560.tif 000006
【図５】
2004320560.tif 000007
【図６】
2004320560.tif 000008
【図７】
2004320560.tif 000009
【図８】
2004320560.tif 000010
【図９】
2004320560.tif 000011
【図１０】
2004320560.tif 000012
【図１１】
2004320560.tif 000013
【図１２】
2004320560.tif 000014
【図１３】
2004320560.tif 000015
【図１４】
2004320560.tif 000016